(57)【要約】  本発明の実施例は、アカウント管理動作を制御する方法、装置及びシステムを提供する。この方法は、管理端末においてユーザのアカウントでのアカウント管理動作を実行することを判定し、ユーザの位置を示すために使用されるユーザ位置情報を取得し、管理端末の位置を示すために使用される動作位置情報を取得し、ユーザ位置情報と動作位置情報とに従ってアカウント管理動作での第１の制御を実行することを有する。本発明の実施例によるアカウント管理動作を制御する方法、装置及びシステムを通じて、管理動作がアカウントで実行される場合、アカウントのユーザの位置がアカウントで管理動作を実行する位置と比較される。これにより、アカウントで管理動作を実行する人がアカウントを保有するユーザであるか否かが判定可能になり、従って、事前に金融不正行為を防止することが可能になる。
2014513352.tif 000002
【特許請求の範囲】
【請求項１】
アカウント管理動作を制御する方法であって、
管理端末においてユーザのアカウントでのアカウント管理動作を実行することを判定するステップと、
前記ユーザの位置を示すために使用されるユーザ位置情報を取得するステップと、
前記管理端末の位置を示すために使用される動作位置情報を取得するステップと、
前記ユーザ位置情報と前記動作位置情報とに従って前記アカウント管理動作での第１の制御を実行するステップと
を有する方法。
【請求項２】
前記ユーザ位置情報と前記動作位置情報とに従って前記アカウント管理動作での前記第１の制御を実行するステップは、
前記ユーザの前記位置が前記管理端末の前記位置と一致する場合、前記アカウント管理動作を許可し、
前記ユーザの前記位置が前記管理端末の前記位置と一致しない場合、前記アカウント管理動作での第２の制御を実行することを有する、請求項１に記載の方法。
【請求項３】
前記ユーザの前記位置が前記管理端末の前記位置と一致しない場合、前記方法は、
前記ユーザのユーザ情報に従って領域レベルを判定するステップと、
前記領域レベルに従って前記ユーザの前記位置を含む第１の領域と前記管理端末の前記位置を含む第２の領域とを判定するステップであり、前記第１の領域のレベル及び前記第２の領域のレベルは前記領域レベルと同じであるステップと
を更に有し、
前記アカウント管理動作での前記第２の制御を実行することは、前記第１の領域が前記第２の領域と一致する場合、前記アカウント管理動作を許可し、
前記第１の領域が前記第２の領域と一致しない場合、前記アカウント管理動作をブロックすることを有する、請求項２に記載の方法。
【請求項４】
前記ユーザの前記位置が前記管理端末の前記位置と一致しない場合、前記方法は、
前記ユーザのユーザ情報に従って距離閾値を判定するステップと、
前記ユーザの前記位置から前記管理端末の前記位置までの距離を判定するステップと
を更に有し、
前記アカウント管理動作での前記第２の制御を実行することは、
前記ユーザの前記位置から前記管理端末の前記位置までの前記距離が前記距離閾値以下である場合、前記アカウント管理動作を許可し、前記ユーザの前記位置から前記管理端末の前記位置までの前記距離が前記距離閾値より大きい場合、前記アカウント管理動作をブロックすることを有する、請求項２又は３に記載の方法。
【請求項５】
前記ユーザの前記位置が前記管理端末の前記位置と一致しない場合、前記方法は、
前記ユーザが前記アカウント管理動作を許可するか否かを示す認証情報を取得するために、前記ユーザの認証動作を実行するステップを更に有し、
前記アカウント管理動作での前記第２の制御を実行することは、
前記ユーザが前記アカウント管理動作を許可する場合、前記アカウント管理動作を許可し、
前記ユーザが前記アカウント管理動作を許可しない場合、前記アカウント管理動作をブロックすることを有する、請求項２ないし４のうちいずれか１項に記載の方法。
【請求項６】
前記アカウント管理動作での前記第２の制御を実行することは、
前記アカウント管理動作をブロックすることを有する、請求項２に記載の方法。
【請求項７】
前記アカウント管理動作をブロックした後に、前記方法は、
前記アカウント管理動作の動作時間情報と、前記アカウント管理動作の動作位置情報と、前記アカウント管理動作の動作内容と、前記ユーザのユーザ情報とのうち少なくとも１つを不正行為疑いデータベースに格納するステップを更に有し、
前記不正行為疑いデータベースは、不正行為の疑いを有するアカウント管理動作の時間、場所及び動作内容と、不正行為をされたユーザのユーザ情報とのうち少なくとも１つを格納するために使用される、請求項３ないし６のうちいずれか１項に記載の方法。
【請求項８】
前記ユーザ位置情報と前記動作位置情報とに従って前記アカウント管理動作での前記第１の制御を実行するステップは、
前記ユーザ位置情報と前記動作位置情報と前記不正行為疑いデータベースとに従って、前記アカウント管理動作での前記第１の制御を実行することを有し、
前記不正行為疑いデータベースは、不正行為の疑いを有するアカウント管理動作の時間、場所及び動作内容と、不正行為をされたユーザのユーザ情報とのうち少なくとも１つを格納する、請求項１ないし７のうちいずれか１項に記載の方法。
【請求項９】
前記ユーザ位置情報を取得するステップは、
前記ユーザにより使用される移動通信デバイスに従って前記ユーザ位置情報を取得することを有する、請求項１ないし８のうちいずれか１項に記載の方法。
【請求項１０】
前記ユーザ位置情報を取得するステップは、
前記移動通信デバイスの通信サービスを提供するオペレータ又は前記移動通信デバイスの測位サービスを提供するオペレータから前記ユーザ位置情報を取得することを有する、請求項９に記載の方法。
【請求項１１】
前記ユーザ位置情報を取得するステップは、
シグナリングチャネルを通じて前記移動通信デバイスにより送信されて前記ユーザ位置情報を有する測位メッセージに従って前記ユーザ位置情報を取得することを有する、請求項９又は１０に記載の方法。
【請求項１２】
前記ユーザ位置情報を取得するステップは、
前記ユーザのために構成されて測位に使用される測位端末デバイスを通じて前記ユーザ位置情報を取得することを有する、請求項１ないし１１のうちいずれか１項に記載の方法。
【請求項１３】
アカウント管理動作を制御する装置であって、
管理端末においてユーザのアカウントでのアカウント管理動作を実行することを判定するように構成された判定ユニットと、
前記ユーザの位置を示すために使用されるユーザ位置情報と、前記管理端末の位置を示すために使用される動作位置情報とを取得するように構成された取得ユニットと、
前記ユーザ位置情報と前記動作位置情報とに従って前記アカウント管理動作での第１の制御を実行するように構成された制御ユニットと
を有する装置。
【請求項１４】
前記制御ユニットは、
前記ユーザの前記位置が前記管理端末の前記位置と一致する場合、前記アカウント管理動作を許可し、
前記ユーザの前記位置が前記管理端末の前記位置と一致しない場合、前記アカウント管理動作での第２の制御を実行するように特に構成される、請求項１３に記載の装置。
【請求項１５】
前記取得ユニットは、
前記ユーザのユーザ情報に従って領域レベルを判定し、
前記領域レベルに従って前記ユーザの前記位置を含む第１の領域と前記管理端末の前記位置を含む第２の領域とを判定するように更に構成され、
前記第１の領域のレベル及び前記第２の領域のレベルは前記領域レベルと同じであり、
前記制御ユニットは、
前記第１の領域が前記第２の領域と一致する場合、前記アカウント管理動作を許可し、
前記第１の領域が前記第２の領域と一致しない場合、前記アカウント管理動作をブロックするように特に構成される、請求項１４に記載の装置。
【請求項１６】
前記取得ユニットは、
前記ユーザのユーザ情報に従って距離閾値を判定し、
前記ユーザの前記位置から前記管理端末の前記位置までの距離を判定するように更に構成され、
前記制御ユニットは、
前記ユーザの前記位置から前記管理端末の前記位置までの前記距離が前記距離閾値以下である場合、前記アカウント管理動作を許可し、
前記ユーザの前記位置から前記管理端末の前記位置までの前記距離が前記距離閾値より大きい場合、前記アカウント管理動作をブロックするように特に構成される、請求項１４又は１５に記載の装置。
【請求項１７】
前記取得ユニットは、
前記ユーザが前記アカウント管理動作を許可するか否かを示すために使用される認証情報を取得するために、前記ユーザの認証動作を実行するように更に構成され、
前記制御ユニットは、
前記ユーザが前記アカウント管理動作を許可する場合、前記アカウント管理動作を許可し、
前記ユーザが前記アカウント管理動作を許可しない場合、前記アカウント管理動作をブロックするように特に構成される、請求項１４ないし１６のうちいずれか１項に記載の装置。
【請求項１８】
前記制御ユニットは、前記ユーザの前記位置が前記管理端末の前記位置と一致しない場合、前記アカウント管理動作をブロックするように特に構成される、請求項１４に記載の装置。
【請求項１９】
前記アカウント管理動作の動作時間情報と、前記アカウント管理動作の動作位置情報と、前記アカウント管理動作の動作内容と、前記ユーザのユーザ情報とのうち少なくとも１つを不正行為疑いデータベースに格納するように構成された記憶ユニットを更に有し、
前記不正行為疑いデータベースは、不正行為の疑いを有するアカウント管理動作の時間、場所及び動作内容と、不正行為をされたユーザのユーザ情報とのうち少なくとも１つを格納するために使用される、請求項１５ないし１８のうちいずれか１項に記載の装置。
【請求項２０】
前記制御ユニットは、前記ユーザ位置情報と前記動作位置情報と前記不正行為疑いデータベースとに従って、前記アカウント管理動作での前記第１の制御を実行するように特に構成され、
前記不正行為疑いデータベースは、不正行為の疑いを有するアカウント管理動作の時間、場所及び動作内容と、不正行為をされたユーザのユーザ情報とのうち少なくとも１つを格納する、請求項１３ないし１９のうちいずれか１項に記載の装置。
【請求項２１】
前記取得ユニットは、前記ユーザにより使用される移動通信デバイスに従って前記ユーザ位置情報を取得するように特に構成される、請求項１３ないし２０のうちいずれか１項に記載の装置。
【請求項２２】
前記取得ユニットは、前記移動通信デバイスの通信サービスを提供するオペレータ又は前記移動通信デバイスの測位サービスを提供するオペレータから前記ユーザ位置情報を取得するように特に構成される、請求項２１に記載の装置。
【請求項２３】
前記取得ユニットは、シグナリングチャネルを通じて前記移動通信デバイスにより送信されて前記ユーザ位置情報を有する測位メッセージに従って前記ユーザ位置情報を取得するように特に構成される、請求項２１又は２２に記載の装置。
【請求項２４】
前記取得ユニットは、前記ユーザのために構成されて測位に使用される測位端末デバイスを通じて前記ユーザ位置情報を取得するように特に構成される、請求項１３ないし２３のうちいずれか１項に記載の装置。
【請求項２５】
アカウント管理動作を制御するシステムであって、
アカウント管理動作が管理端末においてユーザのアカウントで実行される必要があることが判定された場合、前記ユーザの位置を示すために使用されるユーザ位置情報と、前記管理端末の位置を示すために使用される動作位置情報とに従って前記アカウント管理動作を制御するように構成された制御センタと、
前記ユーザ位置情報を取得し、前記ユーザ位置情報を前記制御センタに提供するように構成されたユーザ位置情報データベースと、
前記動作位置情報を取得し、前記動作位置情報を前記制御センタに提供するように構成された動作位置情報データベースと
を有するシステム。
【請求項２６】
前記ユーザのユーザ情報に従って位置情報マッチング規則を取得し、前記位置情報マッチング規則を前記制御センタに提供するように構成された位置情報マッチング規則データベースを更に有し、
前記制御センタは、前記位置情報マッチング規則に従って前記アカウント管理動作を制御するように更に構成され、
前記位置情報マッチング規則は、領域レベル情報と距離閾値情報と認証情報とのうち少なくとも１つの情報を含み、
前記領域レベル情報は、前記ユーザの前記位置を有する第１の領域のレベルと、前記管理端末の前記位置を有する第２の領域のレベルとを示すために使用され、
前記距離閾値情報は、前記アカウント管理動作が許可される場合の前記ユーザの前記位置から前記管理端末の前記位置までの最大距離を示すために使用され、
前記認証情報は、前記ユーザが前記アカウント管理動作を許可するか否かを示すために使用される、請求項２５に記載のシステム。
【請求項２７】
不正行為疑い情報を取得し、前記不正行為疑い情報を前記制御センタに提供するように構成された不正行為疑いデータベースを更に有し、
前記制御センタは、前記ユーザ位置情報と前記動作位置情報と前記不正行為疑い情報とに従って前記アカウント管理動作を制御するように更に構成され、
前記不正行為疑い情報は、不正行為の疑いを有するアカウント管理動作の時間、場所及び動作内容と、不正行為をされたユーザのユーザ情報とのうち少なくとも１つを有する、請求項２５又は２６に記載のシステム。
【請求項２８】
前記ユーザ位置情報データベースは、前記ユーザにより送信されて前記ユーザ位置情報を含む測位メッセージに従って前記ユーザ位置情報を取得するように構成される、請求項２５ないし２７のうちいずれか１項に記載のシステム。
【請求項２９】
前記アカウント管理動作を制御する前記システムは、各金融機関に関して集中的に配置され、
前記制御センタが各金融機関に向かうインタフェースを有する、請求項２５ないし２８のうちいずれか１項に記載のシステム。
【請求項３０】
サブ動作位置情報データベースが各金融機関に配置され、
前記サブ動作位置情報データベースは、前記動作位置情報データベースに接続され、前記動作位置情報を取得し、前記動作位置情報データベースを通じて前記動作位置情報を前記制御センタに提供するように構成され、
サブ不正行為疑いデータベースが各金融機関に配置され、
前記サブ不正行為疑いデータベースは、前記不正行為疑いデータベースに接続され、前記不正行為疑い情報を取得し、前記不正行為疑いデータベースを通じて前記不正行為疑い情報を前記制御センタに提供するように構成される、請求項２９に記載のシステム。
【請求項３１】
前記アカウント管理動作を制御する前記システムは、各金融機関に配置される、請求項２５ないし２８のうちいずれか１項に記載のシステム。
【請求項３２】
親動作位置情報データベースが各金融機関に関して集中的に配置され、
前記親動作位置情報データベースは、前記動作位置情報データベースに接続され、前記動作位置情報を取得し、前記動作位置情報データベースを通じて前記動作位置情報を前記制御センタに提供するように構成され、
親不正行為疑いデータベースが各金融機関に関して集中的に配置され、
前記親不正行為疑いデータベースは、前記不正行為疑いデータベースに接続され、前記不正行為疑い情報を取得し、前記不正行為疑いデータベースを通じて前記不正行為疑い情報を前記制御センタに提供するように構成される、請求項３１に記載のシステム。
【発明の詳細な説明】
【技術分野】
【０００１】
本発明は、情報技術の分野に関し、特にアカウント管理動作を制御する方法、装置及びシステムに関する。
【背景技術】
【０００２】
近年、情報技術の発展により、金融サービスもかなり進展している。様々な便利な管理端末（例えば、POS（Point  Of  Sells）、オンラインバンク、ATM（Automatic  Teller  Machine）及び請求仲介端末（charge  agency  terminal）は、銀行のような金融サービス機関のユーザの日々のトランザクション活動をかなり高めており、日々のトランザクション活動を便利にしている。同時に、全ての種類の金融不正行為が時々生じており、ますますひどくなっている。銀行のクレジットカードサービスだけでも、カードの無断借用による不正行為のため、数十億のRMBが毎年失われている。クレジットカードの数は多く、カードの無断借用による不正行為は最もはびこっている。Unionpayの統計によれば、中国でのクレジットカードの数は、既に21億に到達している。同様に、金融不正行為も様々なデビットカード、銀行口座等でかなり生じており、事前の金融不正行為の予防及び分析が差し迫って必要とされている。
【発明の概要】
【発明が解決しようとする課題】
【０００３】
現在では、銀行は、移動電話のショートメッセージシステムを通じたショートメッセージの方法で、又は電話をかけることにより、クレジットカード、銀行カード又は銀行口座を保有するユーザに、クレジットカード、銀行カード又は銀行口座のトランザクション情報を通知している。しかし、ショートメッセージ又は電話の方法は、トランザクションの後に実行されており、これは、トランザクションの前の事前の金融不正行為を防止できない。
【０００４】
本発明の実施例は、アカウント（口座）管理動作を制御する方法、装置及びシステムを提供し、これは、管理動作がアカウントで実行される前に事前に金融不正行為を防止できる。
【課題を解決するための手段】
【０００５】
一態様では、アカウント管理動作を制御する方法が提供される。この方法は、管理端末においてユーザのアカウントでのアカウント管理動作を実行することを判定し、ユーザの位置を示すために使用されるユーザ位置情報を取得し、管理端末の位置を示すために使用される動作位置情報を取得し、ユーザ位置情報と動作位置情報とに従ってアカウント管理動作での第１の制御を実行することを有する。
【０００６】
他の態様では、アカウント管理動作を制御する装置が提供される。この装置は、管理端末においてユーザのアカウントでのアカウント管理動作を実行することを判定するように構成された判定ユニットと、ユーザの位置を示すために使用されるユーザ位置情報と、管理端末の位置を示すために使用される動作位置情報とを取得するように構成された取得ユニットと、ユーザ位置情報と動作位置情報とに従ってアカウント管理動作での第１の制御を実行するように構成された制御ユニットとを有する。
【０００７】
更に他の態様では、アカウント管理動作を制御するシステムが提供される。このシステムは、アカウント管理動作が管理端末においてユーザのアカウントで実行される必要があることが判定された場合、ユーザの位置を示すために使用されるユーザ位置情報と、管理端末の位置を示すために使用される動作位置情報とに従ってアカウント管理動作を制御するように構成された制御センタと、ユーザ位置情報を取得し、ユーザ位置情報を制御センタに提供するように構成されたユーザ位置情報データベースと、動作位置情報を取得し、動作位置情報を制御センタに提供するように構成された動作位置情報データベースとを有する。
【０００８】
本発明の実施例によるアカウント管理動作を制御する方法、装置及びシステムを通じて、管理動作がアカウントで実行される場合、アカウントのユーザの位置がアカウントで管理動作を実行する位置と比較される。これにより、アカウントで管理動作を実行する人がアカウントを保有するユーザであるか否かが判定可能になり、従って、事前に金融不正行為を防止することが可能になる。
【図面の簡単な説明】
【０００９】
【図１】本発明の実施例によるアカウント管理動作を制御する方法の概略フローチャート
【図２】本発明の実施例によるアカウント管理動作を制御する方法の他の概略フローチャート
【図３】本発明の実施例によるアカウント管理動作を制御する装置の概略ブロック図
【図４ａ】本発明の実施例によるアカウント管理動作を制御するシステムの概略ブロック図
【図４ｂ】本発明の他の実施例によるアカウント管理動作を制御するシステムの概略ブロック図
【発明を実施するための形態】
【００１０】
本発明の実施例の技術的対策を明確に説明するために、実施例又は従来技術を記載するために必要な添付図面について簡単に紹介する。明らかに、以下の説明における添付図面は、単なる本発明のいくつかの実施例であり、当業者は、創造的取り組みを行うことなく、添付図面に従って他の図面を更に得ることができる。
【００１１】
本発明の実施例の技術的対策について、添付図面を参照して以下に詳細に説明する。明らかに、以下に説明する実施例は、本発明の全ての実施例ではなく、いくつかの実施例に過ぎない。創造的取り組みを行うことなく本発明の実施例に基づいて当業者により得られる全ての他の実施例は、本発明の保護範囲内に入るものとする。
【００１２】
図１は、本発明の実施例におけるアカウント管理動作を制御する方法の実施対象を示しており、アカウント管理動作を制御する装置又はシステムにより実施されるアカウント管理動作を制御する方法100の概略フローチャートである。図１に示すように、方法100は、以下のステップを含む。
【００１３】
S110：管理端末においてユーザのアカウントでのアカウント管理動作を実行することを判定する。
【００１４】
S120：ユーザの位置を示すために使用されるユーザ位置情報を取得する。
【００１５】
S130：管理端末の位置を示すために使用される動作位置情報を取得する。
【００１６】
S140：ユーザ位置情報と動作位置情報とに従ってアカウント管理動作での第１の制御を実行する。
【００１７】
本発明の実施例では、限定ではなく一例として、アカウントは、銀行のような金融機関により発行されたクレジットカード、銀行カード又は銀行口座を含んでもよい。限定ではなく一例として、ユーザは、アカウントの保有者である。限定ではなく一例として、管理端末は、POS機、オンラインバンク、ATM又は請求仲介端末を含んでもよい。限定ではなく一例として、アカウント管理動作は、預け入れ及び引き出し、支払い、振り込み並びにパスワードの変更のような動作を含んでもよい。前述の各エンティティ又は動作は、本発明の実施例としての役目をし、本発明はこれらに限定されないことが分かる。
【００１８】
S110において、本発明の実施例では、アカウント管理動作を制御する方法の実施対象（すなわち、アカウント管理動作を制御する装置又はシステム）は、管理端末においてユーザにより保有されたアカウントでのアカウント管理動作を実行することを判定してもよい。例えば、限定ではなく一例として、ユーザがクレジットカードをATMに挿入した場合、アカウント管理動作を示す情報がATMから取得される。処理は従来技術と同じでもよいため、ここには記載しない。
【００１９】
更に、任意選択で、本発明の実施例では、ユーザの加入情報（subscription  information）に従って次の手順を実行する必要があるか否かが更に判定されてもよい。例えば、ユーザがアカウントを取り扱うときに本発明の実施例におけるアカウント管理動作を制御する方法に対応するサービスを有効にしている場合、この方法の次の手順が実行されてもよい。
【００２０】
S120において、ユーザの位置を示すユーザ位置情報が取得されてもよい。
【００２１】
任意選択で、本発明の実施例では、ユーザ位置情報を取得することは、ユーザにより使用される移動通信デバイスに従ってユーザ位置情報を取得することを含む。
【００２２】
特に、ユーザがアカウントを取り扱うときに、ユーザデバイス情報に従って移動通信デバイスの位置を取得するために、ユーザにより使用される移動通信デバイス（例えば、移動電話）のユーザデバイス情報（例えば、移動電話の移動電話番号、移動電話の物理アドレス等）が取得されてもよい。これにより、移動通信デバイスの位置がユーザの位置であると判定する。本発明の実施例では、移動通信デバイスは、移動通信デバイスの位置を取得するために、基地局測位方法、GPS（Global  Position  System）測位方法のような移動通信デバイスを測位する通常の方法を通じて測位されてもよい。移動通信デバイスとして機能する各エンティティ及び前述のエンティティを示す情報は、単なる本発明の実施例としての役目をしており、本発明はこれらに限定されないことが分かる。例えば、移動通信デバイスは、無線アクセスネットワーク（RAN：Radio  Access  Network）を通じて１つ以上のコアネットワークと通信してもよい。移動通信端末は、無線アクセスネットワークとデータを交換する移動電話（又は携帯電話と呼ばれる）でもよく、移動端末を有するコンピュータ（例えば、ポータブルモバイルデバイス、ポケットモバイルデバイス、ハンドヘルドモバイルデバイス、内蔵コンピュータを備えたモバイルデバイス又は車載モバイルデバイス）でもよい。
【００２３】
更に、任意選択で、ユーザ位置情報を取得することは、移動通信デバイスの通信サービスを提供するオペレータ又は移動通信デバイスの測位サービスを提供するオペレータからユーザ位置情報を取得することを含む。
【００２４】
特に、移動通信デバイスの通信サービスを提供するオペレータが移動通信デバイスの測位サービスを提供することができる場合（例えば、測位が基地局測位方法を通じて実行される場合）、移動通信デバイスのデバイス情報（例えば、移動電話番号）は、オペレータに送信されてもよい。これにより、オペレータは、本発明の実施例により提供されるアカウント管理動作を制御する方法の実施対象（すなわち、アカウント管理動作を制御する装置及びシステム）にユーザの位置を示すユーザ位置情報を送信するために、デバイス情報（例えば、移動電話番号）を通じて移動通信デバイスを判定及び測位する。
【００２５】
移動通信デバイスの測位サービスを提供するオペレータが移動通信デバイスの測位サービスを提供することができる場合（例えば、測位がGPS測位方法を通じて実行される場合）、移動通信デバイスのデバイス情報（例えば、移動電話番号）は、オペレータに送信されてもよい。これにより、オペレータは、本発明の実施例により提供されるアカウント管理動作を制御する方法の実施対象（すなわち、アカウント管理動作を制御する装置及びシステム）にユーザの位置を示すユーザ位置情報を送信するために、デバイス情報（例えば、移動電話番号）を通じて移動通信デバイスを判定及び測位する。
【００２６】
ユーザ位置情報は、第三者システム（例えば、移動通信デバイスの通信サービスを提供するオペレータ又は移動通信デバイスの測位サービスを提供するオペレータ）から取得される。これは、ユーザの測位のための時間を短縮し、ユーザ経験を向上させることができる。
【００２７】
更に、任意選択で、ユーザ位置情報を取得することは、シグナリングチャネルを通じて移動通信デバイスにより送信されてユーザ位置情報を含む測位メッセージに従ってユーザ位置情報を取得することを含む。
【００２８】
特に、移動通信デバイスのデバイス情報（例えば、移動電話番号）に従って、移動通信デバイスは、（例えば、音声電話の方法又はショートメッセージの方法で）位置を報告するように直接要求されてもよい。これにより、ユーザは、ユーザが現時点で存在する位置を報告する。特に、移動通信デバイスがローミング状態である場合、データローミング料は高価であるため、ユーザは、本発明の実施例により提供されるアカウント管理動作を制御する方法の実施対象（すなわち、アカウント管理動作を制御する装置又はシステム）にショートメッセージの方法でショートメッセージシグナリングチャネルを通じてユーザ位置情報を能動的に送信してもよい。或いは、第三者システム（例えば、Unionpay又は銀行のショートメッセージゲートウェイ）にショートメッセージの方法でショートメッセージシグナリングチャネルを通じてユーザ位置情報を能動的に送信してもよい。この場合、アカウント管理動作を制御する装置又はシステムは、第三者システムからユーザ位置情報を抽出する。
【００２９】
更に、任意選択で、ユーザ位置情報を取得することは、ユーザのために構成されて測位に使用される測位端末デバイスを通じてユーザ位置情報を取得することを含む。
【００３０】
特に、ユーザを一意に示す端末デバイスがユーザに割り当てられてもよい（例えば、本発明の実施例においてアカウント管理動作を制御する装置又はシステムのクライアントソフトウェアが、ユーザインテリジェント端末又はユーザ移動通信端末（例えば、スマートフォン、パーソナルデジタルアシスタント（PDA：Personal  Digital  Assistant）又はPADタブレットコンピュータ）にインストールされてもよい）。端末デバイスは、移動ネットワークを通じて（例えば、基地局測位方法を通じて）又は衛星ネットワークのGPSサービスを通じて（例えば、GPS測位方法を通じて）リアルタイムでユーザ位置情報を取得し、アカウント管理動作を制御する装置又はシステムにユーザ位置情報を送信してもよい。
【００３１】
本発明の実施例では、ユーザ位置情報は以下のフォーマットのいずれか１つでもよい。
【００３２】
（１）XXXX（年）XX（月）XX（日）XX（時）YY（国コード）YY（都市コード）YY（地区又は道路）
（２）XXXX（年）XX（月）XX（日）XX（時）YY（国コード）YY（都市コード）
（３）XXXX（年）XX（月）XX（日）XX（時）YY（国コード）
（４）YY（国コード）YY（都市コード）YY（地区又は道路）
（５）YY（国コード）YY（都市コード）
（６）YY（国コード）
前述のユーザ位置情報のフォーマットは、単に本発明の実施例としての役目をし、本発明はこれらに限定されず、ユーザ位置情報を示すことができる他のフォーマット又はパラメータも全て本発明の保護範囲内に入ることが分かる。
【００３３】
S130において、アカウント管理動作を実行する位置を示す動作位置情報が取得されてもよい。例えば、管理端末の位置（すなわち、アカウント管理動作を実行する位置）を示す情報は、POS端末、ATM端末、電気通信オペレータのネットワーク、又は銀行のような金融機関の銀行支店のネットワークアドレスベースのようなシステムから抽出されてもよい。
【００３４】
本発明の実施例では、動作位置情報は以下のフォーマットのいずれか１つでもよい。
【００３５】
（１）XXXX（年）XX（月）XX（日）XX（時）YY（国コード）YY（都市コード）YY（地区又は道路）
（２）XXXX（年）XX（月）XX（日）XX（時）YY（国コード）YY（都市コード）
（３）XXXX（年）XX（月）XX（日）XX（時）YY（国コード）
（４）YY（国コード）YY（都市コード）YY（地区又は道路）
（５）YY（国コード）YY（都市コード）
（６）YY（国コード）
前述の動作位置情報のフォーマットは、単に本発明の実施例としての役目をし、本発明はこれらに限定されず、管理端末の位置を示すことができる他の情報フォーマット又はパラメータも全て本発明の保護範囲内に入ることが分かる。更に、動作位置情報のフォーマットは、ユーザ位置情報のフォーマットと同じでもよい。
【００３６】
S140において、アカウント管理動作は、ユーザ位置情報と動作位置情報とに従って制御されてもよい。
【００３７】
本発明の実施例では、ユーザ位置情報と動作位置情報とに従ってアカウント管理動作での第１の制御を実行することは、ユーザの位置が管理端末の位置と一致する場合、アカウント管理動作を許可し、ユーザの位置が管理端末の位置と一致しない場合、アカウント管理動作での第２の制御を実行することを含む。
【００３８】
特に、ユーザ位置情報により示されるユーザの現在位置（例えば、特に、ユーザの要件に従って国、都市、地区、又は緯度及び経度）が動作位置情報により示されるユーザのアカウントでの動作を実行する管理端末の位置（例えば、特に、ユーザの要件に従って国、都市、地区、又は緯度及び経度）と同じである場合（例えば、ユーザの現在位置及び動作位置が双方とも北京である場合）、トランザクションにおいて不正行為の疑いが存在しないことが判定されてもよく、これにより、アカウント管理動作を許可してもよい。
【００３９】
ユーザ位置情報により示されるユーザの現在位置が動作位置情報により示されるユーザのアカウントでの動作を実行する管理端末の位置と異なる場合（例えば、ユーザの現在位置が北京であり、動作位置がニューヨークである場合）、トランザクションにおいて不正行為の疑いが存在すると判定されてもよく、これにより、アカウント管理動作をブロックしてもよく、ユーザがアカウント管理動作を制御する方法に対応するサービスを取り扱うときに判定された位置マッチング規則に従ってアカウント管理動作を制御し続けてもよい。
【００４０】
基地局測位方法、GPS測位方法及び他の測位方法の全ては、特定の測位精度を有しており、精度は、キロメートル又はメートルのような距離単位まで正確でもよい。更に、異なる測位方法を使用することにより得られる精度は変わってもよい。更に、管理端末が移動端末でもあり（例えば、GPRS（General  Packet  Radio  Service）、WiFi（Wireless  Fidelity）、又は広帯域符号分割多重アクセス（WCDMA（登録商標）：Wideband  Code  Division  Multiple  Access）移動通信システムのような無線ネットワークを通じて銀行のような金融サービス機関に接続される）、銀行のような金融機関が移動管理端末を通じてユーザのアカウントでアカウント管理動作を実行する場合、判定された動作位置情報は、銀行のような金融機関の位置を示してもよい。すなわち、このような場合、ユーザ位置情報により示されるユーザの現在位置は、動作位置情報により示されるユーザのアカウントでの動作を実行する管理端末の位置と一致しない。従って、本発明の実施例では、ユーザの位置が管理端末の位置と一致しない場合、ユーザがアカウント管理動作を制御する方法に対応するサービスを有効にするときに選択された位置マッチング情報（例えば、以下に詳細に説明する領域レベル、距離閾値等を含む）に従って、特定の範囲内でユーザの位置と管理端末の位置との間に特定の差が存在することが許容される。
【００４１】
任意選択で、本発明の実施例では、ユーザの位置が管理端末の位置と一致しない場合、この方法は、ユーザのユーザ情報に従って領域レベルを判定し、領域レベルに従ってユーザの位置を含む第１の領域と管理端末の位置を含む第２の領域とを判定することを含む。第１の領域及び第２の領域のレベルは領域レベルと同じである。
【００４２】
次に、アカウント管理動作での第２の制御を実行することは、第１の領域が第２の領域と一致する場合、アカウント管理動作を許可し、第１の領域が第２の領域と一致しない場合、アカウント管理動作をブロックすることを含む。
【００４３】
特に、ユーザがアカウント管理動作を制御する方法に対応するサービスを有効にする場合、ユーザは、ユーザの位置及び管理端末の位置のレベル（例えば、都市）を選択してもよい。レベルは、アカウント管理動作での制御中に使用される。ユーザのユーザ情報と領域レベルとの対応に基づいて、ユーザに対応する領域レベルを示す情報を保存する。
【００４４】
従って、アカウント管理動作での制御中に、ユーザの位置が存在する領域（例えば、都市）が管理端末の位置が存在する領域（例えば、都市）と同じである場合、アカウント管理動作は許可される。
【００４５】
更に、ユーザの位置が存在する領域（例えば、都市）が管理端末の位置が存在する領域（例えば、都市）と一致しない場合、アカウント管理動作はブロックされる。
【００４６】
都市が領域レベルとしての役目をする実施例が前述の例として挙げられたが、本発明はこれに限定されない。例えば、国のような行政領域が領域レベルとして使用されてもよく、銀行のような金融機関により判定された経済的領域が領域レベルとして使用されてもよい。
【００４７】
このように、パーソナライズされたサービスがユーザに提供可能になり、これにより、ユーザ経験を向上させ、誤動作を回避できる。
【００４８】
任意選択で、本発明の実施例では、ユーザの位置が管理端末の位置と一致しない場合、この方法は、ユーザのユーザ情報に従って距離閾値を判定し、ユーザの位置から管理端末の位置までの距離を判定することを含む。
【００４９】
次に、アカウント管理動作での第２の制御を実行することは、ユーザの位置から管理端末の位置までの距離が距離閾値以下である場合、アカウント管理動作を許可し、ユーザの位置から管理端末の位置までの距離が距離閾値より大きい場合、アカウント管理動作をブロックすることを含む。
【００５０】
特に、ユーザがアカウント管理動作を制御する方法に対応するサービスを有効にする場合、ユーザは、ユーザの位置から管理端末の位置までの距離が許可された範囲内にあるかを示すために使用され、アカウント管理動作での制御中に使用される距離閾値（例えば、１キロメートル）を選択してもよい。ユーザのユーザ情報と領域レベルとの対応に基づいて、ユーザに対応する距離閾値を示す情報を保存する。
【００５１】
従って、アカウント管理動作での制御中に、ユーザの位置から管理端末の位置までの距離が距離閾値以下である場合、アカウント管理動作は許可される。
【００５２】
更に、ユーザの位置から管理端末の位置までの距離が距離閾値より大きい場合、アカウント管理動作はブロックされる。
【００５３】
前述の距離閾値としての役目をする特定の数値は、単なる本発明の実施例であり、本発明はこれに限定されないことが分かる。
【００５４】
このように、パーソナライズされたサービスがユーザに提供可能になり、これにより、ユーザ経験を向上させ、誤動作を回避できる。
【００５５】
任意選択で、本発明の実施例では、ユーザの位置が管理端末の位置と一致しない場合、この方法は、ユーザがアカウント管理動作を許可するか否かを示すために使用される認証情報を取得するために、ユーザの認証動作を実行することを含む。アカウント管理動作での第２の制御を実行することは、ユーザがアカウント管理動作を許可する場合、アカウント管理動作を許可し、ユーザがアカウント管理動作を許可しない場合、アカウント管理動作をブロックすることを含む。
【００５６】
特に、不正行為の疑いの動作が特定された後に（すなわち、ユーザの位置が管理端末の位置と一致しない場合、又は位置マッチング規則が満たされない場合）、ユーザについて認証動作が実行されてもよい。例えば、ユーザにより登録された電話番号にタイムリーにダイヤルすることにより、動作の正当性がリアルタイムで確認されてもよい。動作が正当であることをユーザが確認した場合、動作が許可され、そうでない場合、動作が拒否される。更に、ユーザの電話番号がダイヤルされた後に、動作の正当性はまた、対応する数字キーを押下するようにユーザに求めることにより確認されてもよい。確認が成功した場合、動作が許可され、そうでない場合、動作が拒否される。前述のユーザの認証動作を実施する方法は、単なる本発明の例示であり、本発明はこれに限定されず、ユーザに質問することにより動作の正当性を判定可能な他の認証方法も全て本発明の保護範囲内に入ることが分かる。
【００５７】
このように、ユーザ経験が向上でき、誤動作が回避できる。更に、例えば、ユーザにより許可された人がユーザの代わりに管理動作を実行する場合、この場合も同様に対処できる。
【００５８】
任意選択で、本発明の実施例では、アカウント管理動作での第２の制御を実行することは、アカウント管理動作をブロックすることを含む。
【００５９】
特に、ユーザの位置が管理端末の位置と一致しない場合、動作が直接拒否されてもよい。
【００６０】
任意選択で、本発明の実施例では、アカウント管理動作をブロックした後に、この方法は、アカウント管理動作の動作時間と、動作位置情報と、アカウント管理動作の動作内容と、ユーザのユーザ情報とのうち少なくとも１つを不正行為疑いデータベースに格納することを更に含む。不正行為疑いデータベースは、不正行為の疑いを有するアカウント管理動作の時間、場所及び動作内容と、不正行為をされたユーザのユーザ情報とのうち少なくとも１つを格納するために使用される。
【００６１】
更に、ユーザ位置情報と動作位置情報とに従ってアカウント管理動作での第１の制御を実行することは、ユーザ位置情報と動作位置情報と不正行為疑いデータベースとに従って、アカウント管理動作での第１の制御を実行することを含む。不正行為疑いデータベースは、不正行為の疑いを有するアカウント管理動作の時間、場所及び動作内容と、不正行為をされたユーザのユーザ情報とのうち少なくとも１つを格納する。
【００６２】
特に、不正行為の疑いの動作が特定された後に（すなわち、ユーザの位置が管理端末の位置と一致しない場合、位置マッチング規則が満たされない場合、又はユーザの認証が失敗した場合）、ユーザと確認した全ての処理情報（アカウント管理動作の時間、場所及び動作内容、不正行為をされたユーザのユーザ情報等）は、更なるデータマイニング及び分析に使用するために、同期して不正行為疑いデータベースに記録される。不正行為疑いデータベースは、サブジェクト指向（subject-oriented）の統合された時間に関する不変のデータセットでもよい。不正行為疑いデータベースのデータは、不正行為種別、不正行為されたユーザのグループ、不正行為時間及び不正行為場所のようなサブジェクトに従って編成され、不正行為の特徴を分析してアカウント管理動作での制御に対する示唆を提示するために使用されてもよい。
【００６３】
例えば、不正行為疑いデータベースのデータを分析することにより、容易に不正行為されるユーザのグループ、不正行為が容易に発生する管理端末の位置、不正行為が容易に発生する時間、不正行為が容易に発生する動作内容等が判定されてもよい。特に、ターゲットのアカウントのユーザが容易に不正行為されるユーザのグループに属する場合、ユーザが気を付けるように、警告情報がユーザに送信されてもよい。不正行為の疑いのイベントがターゲットのアカウントでの管理動作を実行する管理端末で生じた場合（管理端末がおそらく犯罪者により改修された場合）、ユーザが気を付けるように、警告情報がユーザに送信されてもよい。ターゲットのアカウントで実行される動作内容が不正行為が容易に発生する動作内容（例えば、送金動作）に属する場合、ユーザが気を付けるように、警告情報がユーザに送信されてもよい。
【００６４】
本発明の実施例により提供されるアカウント管理動作を制御する方法によれば、管理動作がアカウントで実行された場合、アカウントのユーザの位置がアカウントでの管理動作を実行する位置と比較される。これにより、アカウントでの管理動作を実行する人がアカウントを保有するユーザであるか否かが判定可能になり、金融不正行為を事前に防止できる。
【００６５】
図２は、本発明の実施例により提供されるアカウント管理動作を制御する方法200の特定のフローを示している。
【００６６】
S201：図２に示すように、管理端末においてユーザのアカウントでのアカウント管理動作を実行することを判定する。
【００６７】
S202：ユーザの位置を判定する。
【００６８】
S203：管理端末の位置を判定する。
【００６９】
S204：ユーザの位置が管理端末の位置と一致するか否かを判定する。そうである場合、S301を実行する。そうでない場合、ステップS401、S501、S601及びS701のいずれか１つを実行する。
【００７０】
S301：アカウント管理動作を許可する。
【００７１】
任意選択で、S401：ユーザがサービスを有効にしたときに選択された領域レベルに従って、ユーザの位置を含む第１の領域及び管理端末の位置を含む第２の領域を判定する。
【００７２】
S402：第１の領域が第２の領域と一致するか否かを判定する。そうである場合、S301を実行する。そうでない場合、ステップS501、S601及びS701のいずれか１つを実行する。
【００７３】
任意選択で、S501：ユーザの位置から管理端末の位置までの距離を判定する。
【００７４】
S502：ユーザの位置から管理端末の位置までの距離が、ユーザがサービスを有効にしたときに選択された距離閾値以下であるか否かを判定する。ユーザの位置から管理端末の位置までの距離が距離閾値以下である場合、S301を実行する。ユーザの位置から管理端末の位置までの距離が距離閾値より大きい場合、ステップS401、S601及びS701のいずれか１つを実行する。
【００７５】
任意選択で、S601：ユーザの認証動作を実行し、ユーザがアカウント管理動作を許可するか否かを示すために使用される認証情報を取得する。
【００７６】
S602：ユーザが管理動作を許可するか否かを判定する。ユーザがアカウント管理動作を許可する場合、S301を実行する。ユーザがアカウント管理動作を許可しない場合、S701を実行する。
【００７７】
S701：アカウント管理動作をブロックする。
【００７８】
任意選択で、S702：ユーザ又は他の不正行為管理機関が使用するために、アカウント管理動作の動作時間、動作位置情報、アカウント管理動作の内容、及びユーザのユーザ情報を不正行為疑いデータベースに格納する。
【００７９】
前述の処理手順では、S401及びS402が最初に実行され、次にS501及びS502が実行され、次にS601及びS602が実行されたが、本発明はこれに限定されない。別法として、S501及びS502が最初に実行され、次にS601及びS602が実行されてもよい。別法として、S401及びS402が最初に実行され、次にS601及びS602が実行されてもよい。別法として、S601及びS602が直接実行されてもよい。S401、S402、S501、S502、S601及びS602が省略され、S701が直接実行されてもよい。
【００８０】
前述では、図１及び図２を参照して、本発明の実施例によるアカウント管理動作を制御する方法について詳細に説明した。以下では、図３を参照して、本発明の実施例によるアカウント管理動作を制御する装置について詳細に説明する。
【００８１】
図３は、本発明の実施例によるアカウント管理動作を制御する装置300の概略ブロック図である。図３に示すように、装置300は、管理端末においてユーザのアカウントでのアカウント管理動作を実行することを判定するように構成された判定ユニット310と、ユーザの位置を示すために使用されるユーザ位置情報と、管理端末の位置を示すために使用される動作位置情報とを取得するように構成された取得ユニット320と、ユーザ位置情報と動作位置情報とに従ってアカウント管理動作での第１の制御を実行するように構成された制御ユニット330とを有する。
【００８２】
更に、本発明の実施例では、制御ユニット330は、ユーザの位置が管理端末の位置と一致する場合、アカウント管理動作を許可し、ユーザの位置が管理端末の位置と一致しない場合、アカウント管理動作での第２の制御を実行するように特に構成される。
【００８３】
基地局測位方法、GPS測位方法及び他の測位方法の全ては、特定の測位精度を有しており、精度は、キロメートル又はメートルのような距離単位まで正確でもよい。更に、異なる測位方法を使用することにより得られる精度は変わってもよい。更に、管理端末が移動端末でもあり（例えば、GPRS（General  Packet  Radio  Service）のような無線ネットワークを通じて銀行のような金融サービス機関に接続される）、銀行のような金融機関が移動管理端末を通じてユーザのアカウントでアカウント管理動作を実行する場合、判定された動作位置情報は、銀行のような金融機関の位置を示してもよい。すなわち、このような場合、ユーザ位置情報により示されるユーザの現在位置は、動作位置情報により示されるユーザのアカウントでの動作を実行する管理端末の位置と一致しない。従って、本発明の実施例では、ユーザの位置が管理端末の位置と一致しない場合、ユーザがアカウント管理動作を制御する方法に対応するサービスを有効にするときに選択された位置マッチング情報（例えば、以下に詳細に説明する領域レベル、距離閾値等を含む）に従って、特定の範囲内でユーザの位置と管理端末の位置との間に特定の差が存在することが許容される。
【００８４】
任意選択で、本発明の実施例では、取得ユニット320は、ユーザのユーザ情報に従って領域レベルを判定し、領域レベルに従ってユーザの位置を含む第１の領域と管理端末の位置を含む第２の領域とを判定するように更に構成される。第１の領域及び第２の領域のレベルは領域レベルと同じである。
【００８５】
制御ユニット330は、第１の領域が第２の領域と一致する場合、アカウント管理動作を許可し、第１の領域が第２の領域と一致しない場合、アカウント管理動作をブロックするように特に構成される。
【００８６】
このように、パーソナライズされたサービスがユーザに提供可能になり、これにより、ユーザ経験を向上させ、誤動作を回避できる。
【００８７】
任意選択で、本発明の実施例では、取得ユニット320は、ユーザのユーザ情報に従って距離閾値を判定し、ユーザの位置から管理端末の位置までの距離を判定するように更に構成される。
【００８８】
制御ユニット330は、ユーザの位置から管理端末の位置までの距離が距離閾値以下である場合、アカウント管理動作を許可し、ユーザの位置から管理端末の位置までの距離が距離閾値より大きい場合、アカウント管理動作をブロックするように特に構成される。
【００８９】
このように、パーソナライズされたサービスがユーザに提供可能になり、これにより、ユーザ経験を向上させ、誤動作を回避できる。
【００９０】
任意選択で、本発明の実施例では、取得ユニット320は、ユーザがアカウント管理動作を許可するか否かを示すために使用される認証情報を取得するために、ユーザの認証動作を実行するように更に構成される。
【００９１】
制御ユニット330は、ユーザがアカウント管理動作を許可する場合、アカウント管理動作を許可し、ユーザがアカウント管理動作を許可しない場合、アカウント管理動作をブロックするように特に構成される。
【００９２】
このように、ユーザ経験が向上でき、誤動作が回避できる。更に、例えば、ユーザにより許可された人がユーザの代わりに管理動作を実行する場合、この場合も同様に対処できる。
【００９３】
任意選択で、本発明の実施例では、制御ユニット330は、ユーザの位置が管理端末の位置と一致しない場合、アカウント管理動作をブロックするように特に構成される。
【００９４】
任意選択で、本発明の実施例では、装置は、アカウント管理動作の動作時間と、動作位置情報と、アカウント管理動作の動作内容と、ユーザのユーザ情報とのうち少なくとも１つを不正行為疑いデータベースに格納するように構成された記憶ユニット240を更に含む。不正行為疑いデータベースは、不正行為の疑いを有するアカウント管理動作の時間、場所及び動作内容と、不正行為をされたユーザのユーザ情報とのうち少なくとも１つを格納するために使用される。
【００９５】
任意選択で、本発明の実施例では、制御ユニット330は、ユーザ位置情報と動作位置情報と不正行為疑いデータベースとに従って、アカウント管理動作での第１の制御を実行するように特に構成される。不正行為疑いデータベースは、不正行為の疑いを有するアカウント管理動作の時間、場所及び動作内容と、不正行為をされたユーザのユーザ情報とのうち少なくとも１つを格納する。
【００９６】
任意選択で、本発明の実施例では、取得ユニット320は、ユーザにより使用される移動通信デバイスに従ってユーザ位置情報を取得するように特に構成される。
【００９７】
任意選択で、本発明の実施例では、取得ユニット320は、移動通信デバイスの通信サービスを提供するオペレータ又は移動通信デバイスの測位サービスを提供するオペレータからユーザ位置情報を取得するように特に構成される。
【００９８】
任意選択で、本発明の実施例では、取得ユニット320は、シグナリングチャネルを通じて移動通信デバイスにより送信されてユーザ位置情報を含む測位メッセージに従ってユーザ位置情報を取得するように特に構成される。
【００９９】
ユーザ位置情報は、第三者システム（例えば、移動通信デバイスの通信サービスを提供するオペレータ又は移動通信デバイスの測位サービスを提供するオペレータ）から取得される。これは、ユーザの測位のための時間を短縮し、ユーザ経験を向上させることができる。
【０１００】
任意選択で、本発明の実施例では、取得ユニット320は、ユーザのために構成されて測位に使用される測位端末デバイスを通じてユーザ位置情報を取得するように特に構成される。
【０１０１】
本発明の実施例によるカウント管理動作を制御する装置300は、本発明の実施例における方法の実施対象であり、アカウント管理動作と他の動作及び／又は機能を制御する装置300のユニット及びモジュールのそれぞれは、図１に示す方法100の対応する手順を実施するために使用される。簡潔にするために、ここでは詳細は繰り返さない。
【０１０２】
本発明の実施例によるアカウント管理動作を制御する装置を通じて、管理動作がアカウントで実行された場合、アカウントのユーザの位置がアカウントでの管理動作を実行する位置と比較される。これにより、アカウントでの管理動作を実行する人がアカウントを保有するユーザであるか否かが判定可能になり、金融不正行為を事前に防止できる。
【０１０３】
前述の説明では、図１及び図２を参照して、本発明の実施例によるアカウント管理動作を制御する方法について詳細に説明し、図３を参照し、本発明の実施例によるアカウント管理動作を制御する装置について詳細に説明した。以下では、図４ａ及び４ｂを参照して、本発明の実施例によるアカウント管理動作を制御するシステムについて詳細に説明する。
【０１０４】
図４ａ及び図４ｂは、本発明の実施例によるアカウント管理動作を制御するシステム400の概略ブロック図である。図４ａ及び図４ｂに示すように、システム400は、アカウント管理動作が管理端末においてユーザのアカウントで実行される必要があることが判定された場合、ユーザの位置を示すために使用されるユーザ位置情報と、管理端末の位置を示すために使用される動作位置情報とに従ってアカウント管理動作を制御するように構成された制御センタ410と、ユーザ位置情報を取得し、ユーザ位置情報を制御センタに提供するように構成されたユーザ位置情報データベース420と、動作位置情報を取得し、動作位置情報を制御センタに提供するように構成された動作位置情報データベース430とを含む。
【０１０５】
任意選択で、本発明の実施例では、制御センタ410は、位置情報マッチング規則に従ってアカウント管理動作を制御するように更に構成される。位置情報マッチング規則は、領域レベル情報と距離閾値情報と認証情報とのうち少なくとも１つの情報を含む。領域レベル情報は、ユーザの位置を含む第１の領域のレベルと、管理端末の位置を含む第２の領域のレベルとを示すために使用される。距離閾値情報は、アカウント管理動作が許可される場合のユーザの位置から管理端末の位置までの最大距離を示すために使用される。認証情報は、ユーザがアカウント管理動作を許可するか否かを示すために使用される。
【０１０６】
システムは、ユーザのユーザ情報に従って位置情報マッチング規則を取得し、位置情報マッチング規則を制御センタに提供するように構成された位置情報マッチング規則データベース440を更に有する。
【０１０７】
任意選択で、本発明の実施例では、制御センタ410は、ユーザ位置情報と動作位置情報と不正行為疑い情報とに従ってアカウント管理動作を制御するように更に構成される。不正行為疑い情報は、不正行為の疑いを有するアカウント管理動作の時間、場所及び動作内容と、不正行為をされたユーザのユーザ情報とのうち少なくとも１つを含む。
【０１０８】
システムは、不正行為疑い情報を取得し、不正行為疑い情報を制御センタに提供するように構成された不正行為疑いデータベース450を更に有する。
【０１０９】
任意選択で、本発明の実施例では、ユーザ位置情報データベース420は、ユーザにより送信されてユーザ位置情報を含む測位メッセージに従ってユーザ位置情報を取得するように構成される。
【０１１０】
任意選択で、図４ａに示すように、本発明の実施例では、アカウント管理動作を制御するシステムは、各金融機関に関して集中的に配置され、金融機関がアカウント管理動作を実行してもよく、制御センタが各金融機関に向かうインタフェースを有する。
【０１１１】
更に、このような場合、サブ動作位置情報データベースが各金融機関に配置される。サブ動作位置情報データベースは、動作位置情報データベース430に接続され、動作位置情報を取得し、動作位置情報データベースを通じて動作位置情報を制御センタに提供するように構成される。
【０１１２】
更に、このような場合、サブ不正行為疑いデータベースが各金融機関に配置される。サブ不正行為疑いデータベースは、不正行為疑いデータベース450に接続され、不正行為疑い情報を取得し、不正行為疑いデータベースを通じて不正行為疑い情報を制御センタに提供するように構成される。
【０１１３】
特に、本発明のシステムは、銀行のユーザにサービス提供する銀行の特徴的なサービスとして、銀行のような各金融機関に独立して配置されてもよい。対応する動作位置情報は、動作位置情報を改善及び更新するために、動作位置情報データベースと、State  Unionpayのような機関に集中的に配置された動作位置情報データベースとの間で同期されてもよい。更に、対応する情報も、情報の包括性を確保するために、不正行為疑いデータベース及びState  Unionpayのような機関に集中的に配置された不正行為疑いデータベースにおいて同期して更新されてもよい。これにより、防止の精度を確保する。
【０１１４】
任意選択で、図４ｂに示すように、本発明の実施例では、アカウント管理動作を制御するシステムは、各金融機関に配置され、システムがアカウント管理動作を実行してもよい。
【０１１５】
更に、このような場合、親動作位置情報データベースが各金融機関に関して集中的に配置される。親動作位置情報データベースは、動作位置情報データベース430に接続され、動作位置情報を取得し、動作位置情報データベースを通じて動作位置情報を制御センタ410に提供するように構成される。
【０１１６】
更に、このような場合、制御センタは、ユーザ位置情報と動作位置情報と不正行為疑い情報とに従ってアカウント管理動作を制御するように更に構成される。不正行為疑い情報は、不正行為の疑いを有するアカウント管理動作の時間、場所及び動作内容と、不正行為をされたユーザのユーザ情報とのうち少なくとも１つを含む。
【０１１７】
システムは、不正行為疑い情報を取得し、不正行為疑い情報を制御センタに提供するように構成された不正行為疑いデータベース450を更に有する。
【０１１８】
親不正行為疑いデータベースは、各金融機関に関して集中的に配置される。親不正行為疑いデータベースは、不正行為疑いデータベースに接続され、不正行為疑い情報を取得し、不正行為疑いデータベースを通じて不正行為疑い情報を制御センタに提供するように構成される。
【０１１９】
特に、本発明のシステムは、China  Unionpay、VISA、MASTER又は他の第三者サービスプロバイダのような第三者機関に集中的に配置されてもよい。集中的な配置の後に、各銀行及びユーザに金融不正行為防止サービスを提供するために、インタフェースが銀行のような各金融機関に開放される。集中的な配置では、分散して配置された動作位置情報データベース及び不正行為疑いデータベースにおいてデータが同期して更新される必要があり、更に、機関又はユーザがサービスを使用できるように、インタフェースが金融不正行為防止分析サービス又は不正行為疑いサービスを使用する各金融機関に開放される必要がある。広範囲の全ての種類の金融不正行為イベントを終わらせるために、集中的な配置方法は、分散的な配置方法と連携してもよい。
【０１２０】
本発明の実施例によるアカウント管理動作を制御するシステム400は、本発明の実施例における方法の実施対象であり、アカウント管理動作と他の動作及び／又は機能を制御するシステム400のユニット及びモジュールのそれぞれは、図１に示す方法100の対応する手順を実施するために使用される。簡潔にするために、ここでは詳細は繰り返さない。
【０１２１】
本発明の実施例によるアカウント管理動作を制御するシステムによれば、管理動作がアカウントで実行された場合、アカウントのユーザの位置がアカウントでの管理動作を実行する位置と比較される。これにより、アカウントでの管理動作を実行する人がアカウントを保有するユーザであるか否かが判定可能になり、金融不正行為を事前に防止できる。
【０１２２】
本発明の各実施例において、ステップの連続番号は実行順序を示すものではなく、ステップの実行順序は、これらの機能及び内部ロジックに従って判定されるべきであり、本発明の実施例の実施を限定することを意図するものではないことが分かる。
【０１２３】
当業者は、ここに開示された実施例に記載のそれぞれの例示的なユニット及びアルゴリズムのステップは、電子ハードウェア又はコンピュータソフトウェアと電子ハードウェアとの組み合わせにより実施されてもよいことを認識し得る。これらの機能がハードウェアを使用して実行されるかソフトウェアを使用して実行されるかは、技術的対策の特定の用途及び設計上の制約に依存する。当業者は、特定の用途毎に記載の機能を実施するために異なる方法を使用してもよい。しかし、このような実施は、本発明の範囲を超えるものとして解釈されるべきではない。
【０１２４】
便宜上及び簡単な説明のため、前述のシステム、装置及びユニットの詳細な動作処理について、方法の実施例の対応する処理に参照が行われてもよいことが当業者に明らかに理解でき、ここでは再び詳細は説明しない。
【０１２５】
この出願で提供される実施例では、開示のシステム、装置及び方法は、他の方法で実施されてもよいことが分かる。例えば、開示の装置の実施例は単なる例である。例えば、ユニットの分割は単に論理的な機能分割であり、実際の実施では他の分割でもよい。例えば、複数のユニット又は構成要素は他のシステムに結合又は統合されてもよく、また、いくつかの機能は無視されてもよく、実行されなくてもよい。更に、表示若しくは説明した相互結合若しくは直接結合又は通信接続は、何らかのインタフェースを通じて実施されてもよい。装置又はユニットの間の間接結合又は通信接続は、電気的形式、機械的形式又は他の形式で実施されてもよい。
【０１２６】
別々の部分として説明したユニットは、物理的に別々でもよく、そうでなくてもよい。ユニットとして表示された部分は、物理的ユニットでもよく、そうでなくてもよい。すなわち、１つの位置に配置されてもよく、複数のネットワークエレメントに分配されてもよい。ユニットの一部又は全部は、実施例の対策の目的を実現するための実際の要件に従って選択されてもよい。
【０１２７】
更に、本発明の各実施例の機能ユニットは、処理ユニットに統合されてもよく、また、ユニットのそれぞれが物理的に単独で存在してもよく、２つ以上のユニットが１つのユニットに統合されてもよい。
【０１２８】
ソフトウェア機能ユニットの形式で実施されて、スタンドアローン型プロダクトとして販売又は使用される場合、機能は、コンピュータ可読記憶媒体に格納されてもよい。このような理解に基づいて、本発明の技術的対策の本質、若しくは従来技術に寄与する部分、又は技術的対策の一部は、ソフトウェアプロダクトの形式で具現されてもよい。コンピュータソフトウェアプロダクトは、記憶媒体に格納されてもよく、コンピュータ装置（例えば、パーソナルコンピュータ、サーバ又はネットワーク装置）に対して本発明の各実施例の方法のステップの全部又は一部を実行するように命令する複数の命令を組み込む。記憶媒体は、U-disk、取り外し可能ハードディスク、読み取り専用メモリ（ROM：Read-Only  Memory）、ランダムアクセスメモリ（RAM：Random  Access  Memory）、磁気ディスク又はCD-ROMのようなプログラムコードを格納可能ないずれかの媒体を含む。
【０１２９】
前述の説明は、本発明の単なる例示的な実施例であり、本発明の保護範囲を限定することを意図しない。本発明により開示された技術的範囲内で当業者により容易に導かれる如何なる変更又は置換も、本発明の保護範囲に入るものとする。従って、本発明の保護範囲は、特許請求の範囲の保護範囲に従う。
【図１】
2014513352.tif 000003
【図３】
2014513352.tif 000004
【図４ａ】
2014513352.tif 000005
【図４ｂ】
2014513352.tif 000006
【図２】
2014513352.tif 000007
【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
アカウント管理動作を制御する方法であって、
管理端末においてユーザのアカウントでのアカウント管理動作を実行することを判定するステップと、
前記ユーザの位置を示すために使用されるユーザ位置情報を取得するステップと、
前記管理端末の位置を示すために使用される動作位置情報を取得するステップと、
前記ユーザの前記位置が前記管理端末の前記位置と一致する場合、前記アカウント管理動作を許可するステップと、
前記ユーザの前記位置が前記管理端末の前記位置と一致しない場合、前記アカウント管理動作での第２の制御を実行するステップと
を有する、請求項１に記載の方法。
【請求項２】
前記ユーザの前記位置が前記管理端末の前記位置と一致しない場合、前記方法は、
前記ユーザのユーザ情報に従って領域レベルを判定するステップと、
前記領域レベルに従って前記ユーザの前記位置を含む第１の領域と前記管理端末の前記位置を含む第２の領域とを判定するステップであり、前記第１の領域のレベル及び前記第２の領域のレベルは前記領域レベルと同じであるステップと
を更に有し、
前記アカウント管理動作での前記第２の制御を実行するステップは、前記第１の領域が前記第２の領域と一致する場合、前記アカウント管理動作を許可し、
前記第１の領域が前記第２の領域と一致しない場合、前記アカウント管理動作をブロックすることを有する、請求項１に記載の方法。
【請求項３】
前記ユーザの前記位置が前記管理端末の前記位置と一致しない場合、前記方法は、
前記ユーザのユーザ情報に従って距離閾値を判定するステップと、
前記ユーザの前記位置から前記管理端末の前記位置までの距離を判定するステップと
を更に有し、
前記アカウント管理動作での前記第２の制御を実行するステップは、
前記ユーザの前記位置から前記管理端末の前記位置までの前記距離が前記距離閾値以下である場合、前記アカウント管理動作を許可し、前記ユーザの前記位置から前記管理端末の前記位置までの前記距離が前記距離閾値より大きい場合、前記アカウント管理動作をブロックすることを有する、請求項１に記載の方法。
【請求項４】
前記ユーザの前記位置が前記管理端末の前記位置と一致しない場合、前記方法は、
前記ユーザが前記アカウント管理動作を許可するか否かを示す認証情報を取得するために、前記ユーザの認証動作を実行するステップを更に有し、
前記アカウント管理動作での前記第２の制御を実行するステップは、
前記ユーザが前記アカウント管理動作を許可する場合、前記アカウント管理動作を許可し、
前記ユーザが前記アカウント管理動作を許可しない場合、前記アカウント管理動作をブロックすることを有する、請求項１に記載の方法。
【請求項５】
前記アカウント管理動作での前記第２の制御を実行するステップは、
前記アカウント管理動作をブロックすることを有する、請求項１に記載の方法。
【請求項６】
前記アカウント管理動作をブロックした後に、前記方法は、
前記アカウント管理動作の動作時間情報と、前記アカウント管理動作の動作位置情報と、前記アカウント管理動作の動作内容と、前記ユーザのユーザ情報とのうち少なくとも１つを不正行為疑いデータベースに格納するステップを更に有し、
前記不正行為疑いデータベースは、不正行為の疑いを有するアカウント管理動作の時間、場所及び動作内容と、不正行為をされたユーザのユーザ情報とのうち少なくとも１つを格納するために使用される、請求項２ないし５のうちいずれか１項に記載の方法。
【請求項７】
前記ユーザ位置情報を取得するステップは、
前記ユーザにより使用される移動通信デバイスの通信サービスを提供するオペレータ又は前記ユーザにより使用される移動通信デバイスの測位サービスを提供するオペレータから前記ユーザ位置情報を取得すること、
シグナリングチャネルを通じて前記ユーザにより使用される移動通信デバイスにより送信されて前記ユーザ位置情報を有する測位メッセージに従って前記ユーザ位置情報を取得すること、又は
前記ユーザのために構成されて測位に使用される測位端末デバイスを通じて前記ユーザ位置情報を取得すること
を有する、請求項１に記載の方法。
【請求項８】
アカウント管理動作を制御する装置であって、
管理端末においてユーザのアカウントでのアカウント管理動作を実行することを判定するように構成された判定ユニットと、
前記ユーザの位置を示すために使用されるユーザ位置情報と、前記管理端末の位置を示すために使用される動作位置情報とを取得するように構成された取得ユニットと、
前記ユーザの前記位置が前記管理端末の前記位置と一致する場合、前記アカウント管理動作を許可し、前記ユーザの前記位置が前記管理端末の前記位置と一致しない場合、前記アカウント管理動作での第２の制御を実行するように構成された制御ユニットと
を有する装置。
【請求項９】
前記取得ユニットは、
前記ユーザのユーザ情報に従って領域レベルを判定し、
前記領域レベルに従って前記ユーザの前記位置を含む第１の領域と前記管理端末の前記位置を含む第２の領域とを判定するように更に構成され、
前記第１の領域のレベル及び前記第２の領域のレベルは前記領域レベルと同じであり、
前記制御ユニットは、
前記第１の領域が前記第２の領域と一致する場合、前記アカウント管理動作を許可し、
前記第１の領域が前記第２の領域と一致しない場合、前記アカウント管理動作をブロックするように特に構成される、請求項８に記載の装置。
【請求項１０】
前記取得ユニットは、
前記ユーザのユーザ情報に従って距離閾値を判定し、
前記ユーザの前記位置から前記管理端末の前記位置までの距離を判定するように更に構成され、
前記制御ユニットは、
前記ユーザの前記位置から前記管理端末の前記位置までの前記距離が前記距離閾値以下である場合、前記アカウント管理動作を許可し、
前記ユーザの前記位置から前記管理端末の前記位置までの前記距離が前記距離閾値より大きい場合、前記アカウント管理動作をブロックするように特に構成される、請求項８に記載の装置。
【請求項１１】
前記取得ユニットは、
前記ユーザが前記アカウント管理動作を許可するか否かを示すために使用される認証情報を取得するために、前記ユーザの認証動作を実行するように更に構成され、
前記制御ユニットは、
前記ユーザが前記アカウント管理動作を許可する場合、前記アカウント管理動作を許可し、
前記ユーザが前記アカウント管理動作を許可しない場合、前記アカウント管理動作をブロックするように特に構成される、請求項８に記載の装置。
【請求項１２】
前記制御ユニットは、前記ユーザの前記位置が前記管理端末の前記位置と一致しない場合、前記アカウント管理動作をブロックするように特に構成される、請求項８に記載の装置。
【請求項１３】
前記アカウント管理動作の動作時間情報と、前記アカウント管理動作の動作位置情報と、前記アカウント管理動作の動作内容と、前記ユーザのユーザ情報とのうち少なくとも１つを不正行為疑いデータベースに格納するように構成された記憶ユニットを更に有し、
前記不正行為疑いデータベースは、不正行為の疑いを有するアカウント管理動作の時間、場所及び動作内容と、不正行為をされたユーザのユーザ情報とのうち少なくとも１つを格納するために使用される、請求項９ないし１２のうちいずれか１項に記載の装置。
【請求項１４】
前記取得ユニットは、
前記ユーザにより使用される移動通信デバイスの通信サービスを提供するオペレータ又は前記ユーザにより使用される移動通信デバイスの測位サービスを提供するオペレータから前記ユーザ位置情報を取得するように、
シグナリングチャネルを通じて前記ユーザにより使用される移動通信デバイスにより送信されて前記ユーザ位置情報を有する測位メッセージに従って前記ユーザ位置情報を取得するように、又は
前記ユーザのために構成されて測位に使用される測位端末デバイスを通じて前記ユーザ位置情報を取得するように、特に構成される、請求項２１に記載の装置。
【請求項１５】
アカウント管理動作を制御するシステムであって、
アカウント管理動作が管理端末においてユーザのアカウントで実行される必要があることが判定された場合、前記ユーザの位置を示すために使用されるユーザ位置情報と、前記管理端末の位置を示すために使用される動作位置情報とに従って前記アカウント管理動作を制御するように構成された制御センタと、
前記ユーザ位置情報を取得し、前記ユーザ位置情報を前記制御センタに提供するように構成されたユーザ位置情報データベースと、
前記動作位置情報を取得し、前記動作位置情報を前記制御センタに提供するように構成された動作位置情報データベースと
を有するシステム。
【国際調査報告】
2014513352.tif 000008
2014513352.tif 000009
2014513352.tif 000010
2014513352.tif 000011